(57)【要約】  本発明はＩｏＴに関する。一実施形態に係る空間価値出力システムは、建物の外部空間を撮影する第１カメラにより撮影された第１画像、及び当該建物の内部空間を撮影する第２カメラにより撮影された第２画像を取得する取得手段と、前記第１画像に含まれる人及び前記第２画像に含まれる人に関するパラメーターを計算する第１計算手段と、前記パラメーターを用いて、前記建物又は前記内部空間の価値を計算する第２計算手段とを有する。
2019155554.tif 000002
【特許請求の範囲】
【請求項１】
建物の外部空間を撮影する第１カメラにより撮影された第１画像、及び当該建物の内部空間を撮影する第２カメラにより撮影された第２画像を取得する取得手段と、
前記第１画像に含まれる人及び前記第２画像に含まれる人に関するパラメーターを計算する第１計算手段と、
前記パラメーターを用いて、前記建物又は前記内部空間の価値を計算する第２計算手段と、
前記第２計算手段により計算された前記価値を出力する出力手段と
を有する空間価値出力システム。
【請求項２】
前記第２計算手段は、
異なる複数の観点の各々について、前記パラメーターを用いて前記内部空間の要素点を計算し、
前記複数の観点について計算された要素点を用いて前記価値を計算する
請求項１に記載の空間価値出力システム。
【請求項３】
前記複数の観点の少なくとも一部に対する重みを決定する決定手段を有し、
前記第２計算手段は、前記複数の要素点及び前記決定手段により決定された重みを用いて前記価値を計算する
請求項２に記載の空間価値出力システム。
【請求項４】
前記複数の観点のうち一部の観点を選択する選択手段を有し、
前記第２計算手段は、前記複数の観点のうち、前記選択手段により選択された観点について計算された要素点を用いて前記価値を計算する
請求項２又は３に記載の空間価値出力システム。
【請求項５】
前記第２画像に含まれる人と同一人物を前記第１画像において同定する同定手段を有し、
前記第２計算手段は、前記同定手段により同定された人の前記第１画像により示される行動及び前記第２画像により示される行動を用いて前記価値を計算する
請求項１乃至４のいずれか一項に記載の空間価値出力システム。
【請求項６】
前記建物が複数の内部空間を含み、
前記第２計算手段は、前記複数の内部空間の各々について計算された価値を用いて、当該建物の価値を計算する
請求項１乃至５のいずれか一項に記載の空間価値出力システム。
【請求項７】
前記パラメーターが、前記第１画像に含まれる人の人数、属性、同伴者の属性、前記建物への注目度、移動速度、移動距離、会話の有無、及び携帯機器を操作しているか否かを示す情報のうち少なくとも１つを含む
請求項１乃至６のいずれか一項に記載の空間価値出力システム。
【請求項８】
前記パラメーターが、前記第２画像に含まれる人の人数、属性、同伴者の属性、前記内部空間の物品への注目度、当該物品の購入の有無、当該内部空間の滞在時間、移動速度、移動距離、会話の有無、及び携帯機器を操作しているか否かを示す情報のうち少なくとも１つを含む
請求項１乃至７のいずれか一項に記載の空間価値出力システム。
【請求項９】
建物の外部空間を撮影する第１カメラにより撮影された第１画像、及び当該建物の内部空間を撮影する第２カメラにより撮影された第２画像を取得するステップと、
前記第１画像に含まれる人及び前記第２画像に含まれる人に関するパラメーターを計算するステップと、
前記パラメーターを用いて、前記建物又は前記内部空間の価値を計算するステップと、
前記計算された前記価値を出力するステップと
を有する空間価値出力方法。
【請求項１０】
コンピュータに、
建物の外部空間を撮影する第１カメラにより撮影された第１画像、及び当該建物の内部空間を撮影する第２カメラにより撮影された第２画像を取得するステップと、
前記第１画像に含まれる人及び前記第２画像に含まれる人に関するパラメーターを計算するステップと、
前記パラメーターを用いて、前記建物又は前記内部空間の価値を計算するステップと、
前記計算された前記価値を出力するステップと
を実行させるためのプログラム。
【発明の詳細な説明】
【技術分野】
【０００１】
本発明はＩｏＴ（Internet of Things）に関し、特に、ＩｏＴデバイスを介して取得された画像を用いて建物又はその内部空間の価値を計算する技術に関する。
【背景技術】
【０００２】
不動産の価値を鑑定する技術が知られている。例えば特許文献１には、人工衛星から撮影された画像から建物の高さを特定し、特定された高さを用いてその建物に関する地域の地価を鑑定する技術が記載されている。
【先行技術文献】
【特許文献】
【０００３】
【特許文献１】特開２００２−３２５３１号公報
【発明の開示】
【発明が解決しようとする課題】
【０００４】
実空間における経済価値は、その周辺にいる人々の経済活動により生じるところ、特許文献１の技術においては建物周辺の人々を考慮することができなかった。【０００５】
これに対し本発明は、建物周辺の人々を考慮してその建物又は内部空間の価値を計算する技術を提供する。
【課題を解決するための手段】
【０００６】
本発明は、建物の外部空間を撮影する第１カメラにより撮影された第１画像、及び当該建物の内部空間を撮影する第２カメラにより撮影された第２画像を取得する取得手段と、前記第１画像に含まれる人及び前記第２画像に含まれる人に関するパラメーターを計算する第１計算手段と、前記パラメーターを用いて、前記建物又は前記内部空間の価値を計算する第２計算手段と、前記第２計算手段により計算された前記価値を出力する出力手段とを有する空間価値出力システムを提供する。【０００７】
前記第２計算手段は、異なる複数の観点の各々について、前記パラメーターを用いて前記内部空間の要素点を計算し、前記複数の観点について計算された要素点を用いて前記価値を計算してもよい。【０００８】
この空間価値出力システムは、前記複数の観点の少なくとも一部に対する重みを決定する決定手段を有し、前記第２計算手段は、前記複数の要素点及び前記決定手段により決定された重みを用いて前記価値を計算してもよい。【０００９】
この空間価値出力システムは、前記複数の観点のうち一部の観点を選択する選択手段を有し、前記第２計算手段は、前記複数の観点のうち、前記選択手段により選択された観点について計算された要素点を用いて前記価値を計算してもよい。【００１０】
この空間価値出力システムは、前記第２画像に含まれる人と同一人物を前記第１画像において同定する同定手段を有し、前記第２計算手段は、前記同定手段により同定された人の前記第１画像により示される行動及び前記第２画像により示される行動を用いて前記価値を計算してもよい。【００１１】
前記建物が複数の内部空間を含み、前記第２計算手段は、前記複数の内部空間の各々について計算された価値を用いて、当該建物の価値を計算してもよい。【００１２】
前記パラメーターが、前記第１画像に含まれる人の人数、属性、同伴者の属性、前記建物への注目度、移動速度、移動距離、会話の有無、及び携帯機器を操作しているか否かを示す情報のうち少なくとも１つを含んでもよい。【００１３】
前記パラメーターが、前記第２画像に含まれる人の人数、属性、同伴者の属性、前記内部空間の物品への注目度、当該物品の購入の有無、当該内部空間の滞在時間、移動速度、移動距離、会話の有無、及び携帯機器を操作しているか否かを示す情報のうち少なくとも１つを含んでもよい。【００１４】
また、本発明は、建物の外部空間を撮影する第１カメラにより撮影された第１画像、及び当該建物の内部空間を撮影する第２カメラにより撮影された第２画像を取得するステップと、前記第１画像に含まれる人及び前記第２画像に含まれる人に関するパラメーターを計算するステップと、前記パラメーターを用いて、前記内部空間の価値を計算するステップと、前記計算された前記価値を出力するステップとを有する空間価値出力方法を提供する。【００１５】
さらに、本発明は、コンピュータに、建物の外部空間を撮影する第１カメラにより撮影された第１画像、及び当該建物の内部空間を撮影する第２カメラにより撮影された第２画像を取得するステップと、前記第１画像に含まれる人及び前記第２画像に含まれる人に関するパラメーターを計算するステップと、前記パラメーターを用いて、前記内部空間の価値を計算するステップと、前記計算された前記価値を出力するステップとを実行させるためのプログラムを提供する。
【図面の簡単な説明】
【００１６】
【図１】一実施形態に係る価値評価システムの構成を例示する図。
【図２】カメラ２０の機能構成を例示する図。
【図３】サーバ１０の機能構成を例示する図。
【図４】サーバ１０のハードウェア構成を例示する図。
【図５】価値評価の対象を例示する図。
【図６】サーバ１０の動作を例示するフローチャート。
【図７】画像データ解析を例示するフローチャート。
【図８】対象フレーム及び直前のフレームを例示する図。
【図９】計算されたパラメーターを例示する図。
【図１０】価値データを例示する図。
【符号の説明】
【００１７】
１…空間価値出力システム、１０…サーバ、１１…取得手段、１２…記憶手段、１３…解析手段、１４…同定手段、１５…第１計算手段、１７…第２計算手段、１８…出力手段、２０…カメラ、２１…撮像手段、２２…記憶手段、２３…通信手段、３０…カメラ、５０…通信ネットワーク、１０１…ＣＰＵ、１０２…メモリ、１０３…ストレージ、１０４…通信ＩＦ。
【発明を実施するための形態】
【００１８】
１．構成
図１は、一実施形態に係る空間価値出力システム１の構成を例示する図である。空間価値出力システム１は、実空間の価値を評価し、評価結果を出力するシステムである。空間価値出力システム１は、サーバ１０、カメラ２０、カメラ３０を有する。カメラ２０（第１カメラの一例）は建物Ｏの外部空間を撮影する。カメラ３０（第２カメラの一例）は建物Ｏの内部空間Ｒを撮影する。サーバ１０（情報処理装置の一例）は、カメラ２０により撮影された画像及びカメラ３０により撮影された画像を用いて、建物Ｏの内部空間Ｒ（又は建物Ｏ自体）の価値を評価（鑑定、判定、又は判断）する。
【００１９】
この例において、カメラ２０及びカメラ３０は、通信ネットワーク５０を介して他の装置と通信可能な装置、いわゆるＩｏＴデバイスである。通信ネットワーク５０は、例えばインターネットである。
【００２０】
図２は、カメラ２０の機能構成を例示する図である。カメラ２０は、撮像手段２１、記憶手段２２、及び通信手段２３を有する。撮像手段２１は、画像をデータ化する機能要素であって、例えばレンズ、撮像素子、及び画像処理回路を有する。ここで、「画像」とは静止画及び動画を包括する概念である。以下、撮像手段２１により得られたデータを画像データという。記憶手段２２は、画像データ及び他のデータを記憶する機能要素であって、例えば、ＳＳＤ（Solid State Drive）を有する。通信手段２３は、撮像手段２１により得られた画像データをインターネット等の通信ネットワークに送信する機能要素であって、例えば、無線通信モジュールを有する。通信手段２３において、データの送信先としてサーバ１０が設定されている。カメラ３０も、カメラ２０と同様の機能を有する。
【００２１】
図３は、サーバ１０の機能構成を例示する図である。サーバ１０は、取得手段１１、記憶手段１２、解析手段１３、同定手段１４、第１計算手段１５、第２計算手段１７、及び出力手段１８を有する。取得手段１１はカメラ２０及びカメラ３０から画像データを取得する。記憶手段１２は、各種のデータを記憶する。記憶手段１２が記憶するデータには、取得手段１１が取得した画像データが含まれる。以下、カメラ２０から取得された画像データを画像データＤoutといい、カメラ３０から取得された画像データを画像データＤinという。画像データＤout及び画像データＤinにより示される画像を、それぞれ画像Ｉout（第１画像の一例）及び画像Ｉin（第２画像の一例）という。
【００２２】
解析手段１３は、画像データＤout及び画像データＤinを解析する。具体的には、解析手段１３は、画像Ｉout及び画像Ｉinの中から人物の像を特定する。同定手段１４は、解析手段１３による解析の結果を用いて、画像Ｉout及び画像Ｉinの中から同一人物を同定する。例えば、同定手段１４は、画像Ｉinに含まれる人と同一人物を画像Ｉoutにおいて同定する。解析手段１３は、同定手段１４による同定の結果を用いて、その人物の行動を解析する。解析手段１３及び同定手段１４は、例えば、いわゆるＡＩ（Artificial Intelligence）により実装されてもよい。
【００２３】
第１計算手段１５は、画像Ｉout及びその解析結果を用いて、画像Ｉoutに含まれる人に関するパラメーターＰout（パラメーターの一例）を計算する。パラメーターＰoutは、画像Ｉoutに含まれる人の人数、属性（年齢、性別、服装（ビジネス又はカジュアル）等）、同伴者の属性（家族、同性友人、異性友人、夫婦等）、建物Ｏへの注目度（建物Ｏに視線を向けているか）、移動速度、移動距離、会話の有無、及び携帯機器（スマートフォン等）を操作しているか否かを示す情報のうち少なくとも１つを含む。
【００２４】
第１計算手段１５は、画像Ｉin及びその解析結果を用いて、画像Ｉinに含まれる人に関するパラメーターＰin（パラメーターの一例）を計算する。パラメーターＰinは、画像Ｉinに含まれる人の人数、属性（年齢、性別、服装（ビジネス又はカジュアル）等）、同伴者の属性（家族、同性友人、異性友人、夫婦等）、内部空間Ｒに存在する物品（商品等）への注目度（商品に視線を向けているか）、物品の購入の有無、内部空間Ｒにおける滞在時間、移動速度、移動距離、会話の有無、及び携帯機器（スマートフォン等）を操作しているか否かを示す情報のうち少なくとも１つを含む。
【００２５】
第２計算手段１７は、パラメーターＰout及びパラメーターＰinの少なくとも一方を用いて、内部空間Ｒの価値Ｖを計算する。この例において、第２計算手段１７は、パラメーターＰout及びパラメーターＰinに加え、解析手段１３により解析された、人物の行動を用いて価値Ｖを計算する。価値Ｖは、対象となる内部空間Ｒ（又は建物Ｏ）を特定する情報と共に、記憶手段１２に記憶される。
【００２６】
出力手段１８は、価値Ｖを示すデータＤvを出力する。データＤvは、例えば地図上にマッピングされる。データＤvを受信した端末装置（図示略）は、データvを視覚的に表示する。
【００２７】
図４は、サーバ１０のハードウェア構成を例示する図である。サーバ１０は、ＣＰＵ（Central Processing Unit）１０１、メモリ１０２、ストレージ１０３、通信ＩＦ１０４を有するコンピュータ装置である。ＣＰＵ１０１は、プログラムに従って処理を実行し、サーバ１０の他のハードウェア要素を制御する制御装置である。メモリ１０２は、ＣＰＵ１０１がプログラムを実行する際のワークエリアとして機能する主記憶装置であり、例えばＲＡＭ（Random Access Memory）を含む。ストレージ１０３は、各種のプログラム及びデータを記憶する不揮発性の補助記憶装置であり、例えばＨＤＤ（Hard Disk Drive）及びＳＳＤ（Solid State Drive）の少なくとも一方を含む。通信ＩＦ１０４は、所定の通信規格（例えばＴＣＰ／ＩＰ）に従った通信を行うためのインターフェースであり、例えばＮＩＣ（Network Interface Card）を含む。
【００２８】
ストレージ１０３は、コンピュータ装置を空間価値出力システム１におけるサーバとして機能させるためのプログラム（以下「評価プログラム」という）を記憶している。ＣＰＵ１０１が評価プログラムを実行している状態において、通信ＩＦ１０４は取得手段１１及び出力手段１８の一例である。メモリ１０２及びストレージ１０３の少なくとも一方は、記憶手段１２の一例である。ＣＰＵ１０１は、解析手段１３、同定手段１４、第１計算手段１５、第１計算手段１５、及び第２計算手段１７の一例である。
【００２９】
２．動作
図５は、価値評価の対象を例示する図である。以下、この例を用いて空間価値出力システム１の動作を説明する。建物Ｏは、各階に２つずつ部屋Ｒ（内部空間の一例）を有する。各部屋Ｒにそれぞれカメラ３０が設置されている。建物Ｏにおいて第ｉ階のｊ番目の部屋を部屋Ｒ［ｉ，ｊ］と表し、部屋Ｒ［ｉ，ｊ］に設置されたカメラをカメラ３０［ｉ，ｊ］と表す。各部屋を区別しないときは、それぞれ単に部屋Ｒ及びカメラ３０という。建物Ｏは、道路Ｓに面している。カメラ２０は、道路Ｓを撮影するように設置されている。カメラ２０及びカメラ３０は、それぞれ、動画を撮影する。すなわち、画像データＤout及び画像データＤinは、いずれも動画データである。
【００３０】
建物Ｏは商業ビルであり、各部屋Ｒにはそれぞれ別個の店舗等が入居している。例えば、部屋Ｒ［１，１］には喫茶店が、部屋Ｒ［１，２］には若者向けの洋服店が、部屋Ｒ［２，１］には眼鏡店が、部屋Ｒ［２，２］には内科医院が入居している。この状況で、多くの人が道路Ｓを行き交っている。道路Ｓを行き交う人々のうち一部は建物Ｏ内の部屋Ｒに入り、それぞれ、喫茶店でお茶を飲んだり、洋服店で服を買ったり、眼鏡店で眼鏡を買ったり、内科医院で診察を受けたりといった、経済活動を行う。
【００３１】
図６は、サーバ１０の動作（空間価値出力方法の一例）を例示するフローチャートである。図６のフローは、例えば、サーバ１０において評価プログラムが起動されたことを契機として開始される。なお以下において、取得手段１１等の機能要素を処理の主体として説明するが、これは、評価プログラム等のソフトウェアをＣＰＵ１０１が実行することにより、ＣＰＵ１０１が演算又は他のハードウェアの制御を行うことによりその処理を行うことを意味する。
【００３２】
ステップＳ１０１において、取得手段１１は、カメラ２０から画像データＤoutを取得する。記憶手段１２は、取得手段１１が取得した画像データＤoutを記憶する。画像データＤoutは、画像を示すデータ本体の他に、画像データＤoutの属性を示す属性情報を含む。属性情報は、例えば、カメラ２０の識別子、画像のファイル形式、解像度、フレームレート、及びタイムスタンプのうち少なくとも１つを示す情報を含む。
【００３３】
ステップＳ１０２において、取得手段１１は、カメラ３０から画像データＤinを取得する。記憶手段１２は、取得手段１１が取得した画像データＤinを記憶する。画像データＤinは、画像を示すデータ本体の他に、画像データＤinの属性を示す属性情報を含む。属性情報については画像データＤoutと同様である。
【００３４】
ステップＳ１０３において、解析手段１３は、画像データの解析を開始するための条件が満たされたか判断する。解析を開始するための条件は、例えば、前回の解析を行ってから所定の時間が経過した、未解析の画像データのデータ量がしきい値を超えた、又はユーザ等から解析の指示が入力された、というものである。解析を開始するための条件が満たされたと判断された場合（Ｓ１０３：ＹＥＳ）、解析手段１３は、処理をステップＳ１０４に移行する。解析を開始するための条件がまだ満たされていないと判断された場合（Ｓ１０３：ＮＯ）、解析手段１３は、条件が満たされるまで待機する。
【００３５】
ステップＳ１０４において、解析手段１３は、画像データＤout及び画像データＤinを解析する。以下、画像データ解析の例を説明する。なお、特にここで説明する処理はあくまで一例であって、解析手段１３が行う解析はこれに限定されるものではない。
【００３６】
図７は、画像データ解析を例示するフローチャートである。ステップＳ２０１において、解析手段１３は、記憶手段１２に記憶されている画像データＤoutのうち、解析の対象となるデータを特定する。画像データＤoutには、例えば、解析済又は未済を示すフラグが付加されており、解析手段１３はこのフラグを参照して未解析の画像データを対象として特定する。以下、解析の対象となる画像データを対象画像データという。
【００３７】
ステップＳ２０２において、解析手段１３は、対象画像データのうち対象となるフレームを対象として特定する。以下、解析の対象となるフレームを対象フレームという。対象フレームは、例えば、画像データの時系列に従って順番に特定される。
【００３８】
ステップＳ２０３において、解析手段１３は、対象フレームに含まれる人の像を特定する。画像中の人の特定には周知の技術が用いられる。ステップＳ２０４において、解析手段１３は、特定された人に仮の識別子を付与する。仮の識別子は、フレーム内において用いられる識別子である。ステップＳ２０４において、同定手段１４は、対象フレームと時間軸上において所定の位置関係にあるフレーム、例えば直前のフレームを、対象フレームと対比して同一人物を特定する。同一人物の特定には周知の技術が用いられる。
【００３９】
図８は、対象フレーム及び直前のフレームを例示する図である。この例において、対象フレームには５人の像が、直前のフレームには４人の像が、それぞれ含まれている。以下、第ｍフレームにおけるｎ人目の人を、人［ｍ，ｎ］という。この例においては、人［ｍ，２］、人［ｍ，３］、人［ｍ，４］、及び人［ｍ，５］が直前のフレームから継続して映っている人であり、人［ｍ，１］が新たにフレームに入った人である。
【００４０】
再び図７を参照する。ステップＳ２０４において、同定手段１４は、新たにフレームに入った人について、画像データＤinのうち、対象フレームと時間軸上において所定の位置関係にある１つ以上のフレーム（例えば３分前〜１分前までのフレーム）と対比を行い、同一人物を特定する。
【００４１】
ステップＳ２０５において、解析手段１３は、画像データＤout及びＤinのいずれにおいても以前のフレームからは映っていなかった人に対し、識別子を付与する。この識別子はステップＳ２０３における仮の識別子とは異なり、画像データＤout及び画像データＤinを通じて（複数フレームに渡って）共通に用いられる識別子である。なお、以前のフレームから映っていた人に対しては、既に付与された識別子が用いられる。
【００４２】
ステップＳ２０６において、解析手段１３は、新たに識別子が付与された人（以下「対象人」という）の属性を特定する。属性の特定は、例えば対象フレームの画像を用いて行われる。対象フレームから特定される属性は、例えば、対象人の年齢（又は年代）、性別、及び服装である。さらに、解析手段１３は、対象フレームに含まれる人の像から、画像Ｉoutに含まれる人の人数（図８の例では５人）、同伴者の属性（人［ｍ，３］及び人［ｍ，４］が夫婦である等）を計算する。
【００４３】
解析手段１３は、対象画像データのすべてのフレームが対象フレームとして処理されたか判断する。まだ対象フレームとして処理されていないフレームがあったと判断された場合、解析手段１３は、処理をステップＳ２０２に移行する。解析手段１３は、対象フレームを更新し、ステップＳ２０３〜Ｓ２０６の処理を繰り返し実行する。すべてのフレームが対象フレームとして処理されたと判断された場合、解析手段１３は、処理をステップＳ２０７に移行する。
【００４４】
ステップＳ２０７において、第１計算手段１５は、対象画像データ全体から、対象画像データに映っている人の行動を示すパラメーターを、人毎に計算する。ここで計算されるパラメーターは、例えば、部屋Ｒに置かれている物品（例えば商品）への注目度、その物品の購入の有無、部屋Ｒにおける滞在時間、部屋Ｒ内の平均移動速度、部屋Ｒ内の移動距離、同伴者との会話の有無、携帯機器の操作の有無を示す情報のうち少なくとも１つを含む。これらのパラメーターは、空間毎に、すなわち、建物Ｏの外部及び各部屋Ｒについてそれぞれ別個に計算される。
【００４５】
図９は、計算されたパラメーターを例示する図である。この例によれば、識別子「０００１」が与えられた人は、以下の属性を有している。
・年齢：４０代
・性別：男性
・服装：ビジネス
さらに、これらのパラメーターによれば、この人は、
・午後５：３０に建物Ｏの周辺に現れ、
・洋服店に１時間滞在し、
・洋服店で買い物をし、
・喫茶店、眼鏡店、及び内科医院には立ち寄らず、
・午後６：３５に建物Ｏの周辺から去った。
という行動を取ったことが示される。
【００４６】
さらに、これらのパラメーターによれば、建物Ｏについて、例えば、
・道路Ｓの平均通行人数：１５００人／日
・平均滞在時間：        ２５分／人
・男女比：              ６：４
・平均年齢層：          男性４０代、女性３０代
・平均同伴人数：        ０．５人
等の統計値が得られる。
【００４７】
さらに、これらのパラメーターによれば、各部屋Ｒについて、例えば、
・平均客数：            ５０人／日
・平均滞在時間：        ４５分／人
・男女比：              ８：２
・平均年齢層：          男性３０代、女性３０代
・平均同伴人数：        ０．２人
・商品を購入した客数：  ２０人／日
等の統計値が得られる。
【００４８】
再び図６を参照する。ステップＳ１０５において、第２計算手段１７は、部屋Ｒの価値Ｖを計算する。価値Ｖは、ステップＳ２０７において計算されたパラメーターを用いて計算される。具体的には、第２計算手段１７は、あらかじめ設定された複数の観点の各々について要素点を計算する。複数の観点とは、建物Ｏ又は部屋Ｒの価値に関する観点であり、例えば、平均通行人数、平均滞在時間、男女比、平均年齢層、商品を購入した客数等の観点について、これらのパラメーターを指標化（規格化）した数値である。第２計算手段１７は、こうして得られた複数の要素点に対し、あらかじめ設定された重み係数を乗算して足し合わせることによって、その部屋Ｒの総合的な価値Ｖを計算する。第２計算手段１７は、計算した価値Ｖを、部屋Ｒ及び建物Ｏの識別子と共に価値データとして記憶手段１２に記憶する。
【００４９】
なお、第２計算手段１７は、部屋Ｒの価値Ｖを用いて建物Ｏの価値Ｖを計算してもよい。例えば、ある建物が４つの部屋を有している場合、第２計算手段１７は、これら４つの部屋Ｒの価値Ｖを用いて、建物Ｏの価値Ｖを計算する。一例において、第２計算手段１７は、これら４つの部屋Ｒの価値Ｖを積算することにより、建物Ｏの価値Ｖを計算する。
【００５０】
ステップＳ１０１〜Ｓ１０５の処理は、建物Ｏ毎に行われる。すなわち、各建物Ｏについて、又は各建物Ｏの中の各部屋Ｒについて、人の行動に基づく価値Ｖが計算される。第２計算手段１７は、価値Ｖを地図上にマッピングしたデータを価値データとして生成してもよい。
【００５１】
ステップＳ１０６において、出力手段１８は、価値Ｖを示すデータを出力する。例えば、サーバ１０は、端末装置（図示略）から価値データの送信要求を受け付ける。出力手段１８は、要求された価値データを、要求元の端末装置に送信する。
【００５２】
図１０は、価値データを例示する図である。ここでは、地図上の全ての建物にカメラ２０が設置されており、さらにこれらの建物の全ての部屋にカメラ３０が設置されている例を想定する。ここでは価値Ｖを地図上において等高線の形式で表している。本実施形態によれば、建物の周辺又は内部空間にいる人に基づいて、その建物又は内部空間の価値を計算することができる。
【００５３】
３．変形例
本発明は上述の実施形態に限定されるものではなく、種々の変形実施が可能である。以下、変形例をいくつか説明する。以下の変形例のうち２つ以上のものが組み合わせて用いられてもよい。
【００５４】
３−１．変形例１
複数の要素に対して乗算される重み係数が可変であってもよい。この場合、サーバ１０は、複数の観点の少なくとも一部に対する重み係数を決定する決定手段を有する。この決定手段は、例えば、端末装置又はそのユーザからの指示に応じて重み係数を決定する。この指示は、対象となる重み係数及びその値を直接指定するものであってもよいし、対象となる重み係数を選択するための条件、又は値を変更する数式を指定するものであってもよい。この例によれば、価値データを利用するユーザの希望等により重み係数を変更することができる。
【００５５】
３−２．変形例２
第２計算手段１７は、あらかじめ設定された複数の観点の中から選択された一部の観点のみについての要素点を用いて、部屋Ｒの価値Ｖを計算してもよい。この場合、サーバ１０は、複数の観点の中から一部を選択する選択手段を有する。この選択手段は、例えば、端末装置又はそのユーザからの指示に応じて、一部の観点を選択する。この指示は、一部の観点を直接指定するものであってもよいし、一部の観点を選択するための条件を指定するものであってもよい。この例によれば、価値データを利用するユーザの希望等により、考慮する観点を選択することができる。
【００５６】
３−３．変形例３
出力手段１８は、価値データに代えて、又は加えて、複数の要素点を示すデータ（以下「要素点データ」という）を出力してもよい。この場合、要素点データを受信した端末装置が、複数の観点の中から一部の観点を選択肢、選択された一部の観点のみについての要素点を用いて、部屋Ｒ又は建物Ｏの価値Ｖを計算してもよい。一部の観点は、端末装置のユーザにより選択されてもよいし、端末装置において実行されるクライアントプログラムにより自動的に選択されてもよい。
【００５７】
３−４．他の変形例
各パラメーターを用いて第２計算手段１７が価値Ｖを計算する具体的な手法は、実施形態で説明したものに限定されない。例えば、第２計算手段１７は、パラメーターＰout及びパラメーターＰinのいずれか一方のみを用いて価値Ｖを計算してもよい。
【００５８】
実施形態においてサーバ１０が有するものとして説明された機能は、物理的に複数の装置に分散して実装されてもよい。すなわち、ネットワーク上に配置された複数の装置が協働して実施形態におけるサーバ１０として機能してもよい。あるいは、実施形態においてサーバ１０が有するものとして説明された機能の一部を、クライアントに実装してもよい。また、実施形態においてサーバ１０が有するものとして説明された機能の一部は省略されてもよい。
【００５９】
サーバ１０のハードウェア構成は実施形態で例示したものに限定されない。要求される機能を有するものであれば、サーバ１０及びカメラ２０、３０はどのようなハードウェア構成を有していてもよい。
【００６０】
ＣＰＵ１０１等により実行されるプログラムは、光ディスク、磁気ディスク、半導体メモリなどの記憶媒体により提供されてもよいし、インターネット等の通信回線を介してダウンロードされてもよい。また、これらのプログラムは、実施形態で説明したすべてのステップを実行させるものでなくてもよい。
【図１】
2019155554.tif 000003
【図２】
2019155554.tif 000004
【図３】
2019155554.tif 000005
【図４】
2019155554.tif 000006
【図５】
2019155554.tif 000007
【図６】
2019155554.tif 000008
【図７】
2019155554.tif 000009
【図８】
2019155554.tif 000010
【図９】
2019155554.tif 000011
【図１０】
2019155554.tif 000012
【手続補正書】
【提出日】令和2年7月31日(2020.7.31)
【手続補正１】
【補正対象書類名】特許請求の範囲
【補正対象項目名】全文
【補正方法】変更
【補正の内容】
【特許請求の範囲】
【請求項１】
建物の外部空間を撮影する第１カメラにより撮影された第１画像、及び当該建物の内部空間を撮影する第２カメラにより撮影された第２画像を取得する取得手段と、
前記第１画像に含まれる人及び前記第２画像に含まれる人に関するパラメーターを計算する第１計算手段と、
前記パラメーターを用いて、異なる複数の観点の各々について前記内部空間の要素点を計算し、前記複数の観点について計算された要素点を用いて前記建物又は前記内部空間の価値を計算する第２計算手段と、
前記第２計算手段により計算された前記価値を出力する出力手段と、
前記複数の観点の少なくとも一部に対する重みを決定する決定手段と、を有し、
前記第２計算手段は、前記複数の要素点及び前記決定手段により決定された重みを用いて前記価値を計算する、空間価値出力システム。
【請求項２】
前記複数の観点のうち一部の観点を選択する選択手段を有し、
前記第２計算手段は、前記複数の観点のうち、前記選択手段により選択された観点について計算された要素点を用いて前記価値を計算する
請求項１に記載の空間価値出力システム。
【請求項３】
前記第２画像に含まれる人と同一人物を前記第１画像において同定する同定手段を有し、
前記第２計算手段は、前記同定手段により同定された人の前記第１画像により示される行動及び前記第２画像により示される行動を用いて前記価値を計算する
請求項１または請求項２に記載の空間価値出力システム。
【請求項４】
前記建物が複数の内部空間を含み、
前記第２計算手段は、前記複数の内部空間の各々について計算された価値を用いて、当該建物の価値を計算する
請求項１から請求項３のいずれか一項に記載の空間価値出力システム。
【請求項５】
前記パラメーターが、前記第１画像に含まれる人の人数、属性、同伴者の属性、前記建物への注目度、移動速度、移動距離、会話の有無、及び携帯機器を操作しているか否かを示す情報のうち少なくとも１つを含む
請求項１から請求項４のいずれか一項に記載の空間価値出力システム。
【請求項６】
前記パラメーターが、前記第２画像に含まれる人の人数、属性、同伴者の属性、前記内部空間の物品への注目度、当該物品の購入の有無、当該内部空間の滞在時間、移動速度、移動距離、会話の有無、及び携帯機器を操作しているか否かを示す情報のうち少なくとも１つを含む
請求項１から請求項５のいずれか一項に記載の空間価値出力システム。
【請求項７】
建物の外部空間を撮影する第１カメラにより撮影された第１画像、及び当該建物の内部空間を撮影する第２カメラにより撮影された第２画像を取得するステップと、
前記第１画像に含まれる人及び前記第２画像に含まれる人に関するパラメーターを計算するステップと、
前記パラメーターを用いて、異なる複数の観点の各々について前記内部空間の要素点を計算し、前記複数の観点について計算された要素点を用いて前記建物又は前記内部空間の価値を計算するステップと、
前記計算された前記価値を出力するステップと、
前記複数の観点の少なくとも一部に対する重みを決定するステップと、を有し、
前記価値を計算するステップは、前記複数の要素点及び前記決定手段により決定された重みを用いて前記価値を計算することを含む、
空間価値出力方法。
【請求項８】
コンピュータに、
建物の外部空間を撮影する第１カメラにより撮影された第１画像、及び当該建物の内部空間を撮影する第２カメラにより撮影された第２画像を取得するステップと、
前記第１画像に含まれる人及び前記第２画像に含まれる人に関するパラメーターを計算するステップと、
前記パラメーターを用いて、異なる複数の観点の各々について前記内部空間の要素点を計算し、前記複数の観点について計算された要素点を用いて前記建物又は前記内部空間の価値を計算するステップと、
前記計算された前記価値を出力するステップと、
前記複数の観点の少なくとも一部に対する重みを決定するステップと、実行させ、
前記価値を計算するステップは、前記複数の要素点及び前記決定手段により決定された重みを用いて前記価値を計算することを含む、
プログラム。
【手続補正２】
【補正対象書類名】明細書
【補正対象項目名】０００６
【補正方法】変更
【補正の内容】
【０００６】
本発明は、建物の外部空間を撮影する第１カメラにより撮影された第１画像、及び当該建物の内部空間を撮影する第２カメラにより撮影された第２画像を取得する取得手段と、第１画像に含まれる人及び第２画像に含まれる人に関するパラメーターを計算する第１計算手段と、パラメーターを用いて、異なる複数の観点の各々について内部空間の要素点を計算し、複数の観点について計算された要素点を用いて建物又は内部空間の価値を計算する第２計算手段と、第２計算手段により計算された価値を出力する出力手段と、複数の観点の少なくとも一部に対する重みを決定する決定手段と、を有し、第２計算手段は、複数の要素点及び決定手段により決定された重みを用いて価値を計算する、空間価値出力システムを提供する。
本発明は、建物の外部空間を撮影する第１カメラにより撮影された第１画像、及び当該建物の内部空間を撮影する第２カメラにより撮影された第２画像を取得するステップと、第１画像に含まれる人及び第２画像に含まれる人に関するパラメーターを計算するステップと、パラメーターを用いて、異なる複数の観点の各々について内部空間の要素点を計算し、複数の観点について計算された要素点を用いて建物又は内部空間の価値を計算するステップと、計算された価値を出力するステップと、複数の観点の少なくとも一部に対する重みを決定するステップと、を有し、価値を計算するステップは、複数の要素点及び決定手段により決定された重みを用いて価値を計算することを含む、空間価値出力方法を提供する。
本発明は、コンピュータに、建物の外部空間を撮影する第１カメラにより撮影された第１画像、及び当該建物の内部空間を撮影する第２カメラにより撮影された第２画像を取得するステップと、第１画像に含まれる人及び第２画像に含まれる人に関するパラメーターを計算するステップと、パラメーターを用いて、異なる複数の観点の各々について内部空間の要素点を計算し、複数の観点について計算された要素点を用いて建物又は内部空間の価値を計算するステップと、計算された価値を出力するステップと、複数の観点の少なくとも一部に対する重みを決定するステップと、実行させ、価値を計算するステップは、複数の要素点及び決定手段により決定された重みを用いて価値を計算することを含む、プログラムを提供する。
本発明は、建物の外部空間を撮影する第１カメラにより撮影された第１画像、及び当該建物の内部空間を撮影する第２カメラにより撮影された第２画像を取得する取得手段と、前記第１画像に含まれる人及び前記第２画像に含まれる人に関するパラメーターを計算する第１計算手段と、前記パラメーターを用いて、前記建物又は前記内部空間の価値を計算する第２計算手段と、前記第２計算手段により計算された前記価値を出力する出力手段とを有する空間価値出力システムを提供する。
【手続補正書】
【提出日】令和2年9月2日(2020.9.2)
【手続補正１】
【補正対象書類名】特許請求の範囲
【補正対象項目名】全文
【補正方法】変更
【補正の内容】
【特許請求の範囲】
【請求項１】
建物の外部空間を撮影する第１カメラにより撮影された第１画像、及び当該建物の内部空間を撮影する第２カメラにより撮影された第２画像を取得する取得手段と、
前記第１画像に含まれる人及び前記第２画像に含まれる人に関するパラメーターを計算する第１計算手段と、
前記パラメーターを用いて、異なる複数の観点の各々について前記内部空間の要素点を計算し、前記複数の観点について計算された要素点を用いて前記建物又は前記内部空間の価値を計算する第２計算手段と、
前記第２計算手段により計算された前記価値を出力する出力手段と、
前記複数の観点の少なくとも一部に対する重みを決定する決定手段と、を有し、
前記第２計算手段は、前記複数の要素点及び前記決定手段により決定された重みを用いて前記価値を計算する、空間価値出力システム。
【請求項２】
前記複数の観点のうち一部の観点を選択する選択手段を有し、
前記第２計算手段は、前記複数の観点のうち、前記選択手段により選択された観点について計算された要素点を用いて前記価値を計算する
請求項１に記載の空間価値出力システム。
【請求項３】
前記第２画像に含まれる人と同一人物を前記第１画像において同定する同定手段を有し、
前記第２計算手段は、前記同定手段により同定された人の前記第１画像により示される行動及び前記第２画像により示される行動を用いて前記価値を計算する
請求項１または請求項２に記載の空間価値出力システム。
【請求項４】
前記建物が複数の内部空間を含み、
前記第２計算手段は、前記複数の内部空間の各々について計算された価値を用いて、当該建物の価値を計算する
請求項１から請求項３のいずれか一項に記載の空間価値出力システム。
【請求項５】
前記パラメーターが、前記第１画像に含まれる人の人数、属性、同伴者の属性、前記建物への注目度、移動速度、移動距離、会話の有無、及び携帯機器を操作しているか否かを示す情報のうち少なくとも１つを含む
請求項１から請求項４のいずれか一項に記載の空間価値出力システム。
【請求項６】
前記パラメーターが、前記第２画像に含まれる人の人数、属性、同伴者の属性、前記内部空間の物品への注目度、当該物品の購入の有無、当該内部空間の滞在時間、移動速度、移動距離、会話の有無、及び携帯機器を操作しているか否かを示す情報のうち少なくとも１つを含む
請求項１から請求項５のいずれか一項に記載の空間価値出力システム。
【請求項７】
建物の外部空間を撮影する第１カメラにより撮影された第１画像、及び当該建物の内部空間を撮影する第２カメラにより撮影された第２画像を取得するステップと、
前記第１画像に含まれる人及び前記第２画像に含まれる人に関するパラメーターを計算するステップと、
前記パラメーターを用いて、異なる複数の観点の各々について前記内部空間の要素点を計算し、前記複数の観点について計算された要素点を用いて前記建物又は前記内部空間の価値を計算するステップと、
前記計算された前記価値を出力するステップと、
前記複数の観点の少なくとも一部に対する重みを決定するステップと、を有し、
前記価値を計算するステップは、前記複数の要素点及び前記決定するステップにより決定された重みを用いて前記価値を計算することを含む、
空間価値出力方法。
【請求項８】
コンピュータに、
建物の外部空間を撮影する第１カメラにより撮影された第１画像、及び当該建物の内部空間を撮影する第２カメラにより撮影された第２画像を取得するステップと、
前記第１画像に含まれる人及び前記第２画像に含まれる人に関するパラメーターを計算するステップと、
前記パラメーターを用いて、異なる複数の観点の各々について前記内部空間の要素点を計算し、前記複数の観点について計算された要素点を用いて前記建物又は前記内部空間の価値を計算するステップと、
前記計算された前記価値を出力するステップと、
前記複数の観点の少なくとも一部に対する重みを決定するステップと、実行させ、
前記価値を計算するステップは、前記複数の要素点及び前記決定するステップにより決定された重みを用いて前記価値を計算することを含む、
プログラム。
【手続補正２】
【補正対象書類名】明細書
【補正対象項目名】０００６
【補正方法】変更
【補正の内容】
【０００６】
本発明は、建物の外部空間を撮影する第１カメラにより撮影された第１画像、及び当該建物の内部空間を撮影する第２カメラにより撮影された第２画像を取得する取得手段と、第１画像に含まれる人及び第２画像に含まれる人に関するパラメーターを計算する第１計算手段と、パラメーターを用いて、異なる複数の観点の各々について内部空間の要素点を計算し、複数の観点について計算された要素点を用いて建物又は内部空間の価値を計算する第２計算手段と、第２計算手段により計算された価値を出力する出力手段と、複数の観点の少なくとも一部に対する重みを決定する決定手段と、を有し、第２計算手段は、複数の要素点及び決定手段により決定された重みを用いて価値を計算する、空間価値出力システムを提供する。
本発明は、建物の外部空間を撮影する第１カメラにより撮影された第１画像、及び当該建物の内部空間を撮影する第２カメラにより撮影された第２画像を取得するステップと、第１画像に含まれる人及び第２画像に含まれる人に関するパラメーターを計算するステップと、パラメーターを用いて、異なる複数の観点の各々について内部空間の要素点を計算し、複数の観点について計算された要素点を用いて建物又は内部空間の価値を計算するステップと、計算された価値を出力するステップと、複数の観点の少なくとも一部に対する重みを決定するステップと、を有し、価値を計算するステップは、複数の要素点及び決定するステップにより決定された重みを用いて価値を計算することを含む、空間価値出力方法を提供する。
本発明は、コンピュータに、建物の外部空間を撮影する第１カメラにより撮影された第１画像、及び当該建物の内部空間を撮影する第２カメラにより撮影された第２画像を取得するステップと、第１画像に含まれる人及び第２画像に含まれる人に関するパラメーターを計算するステップと、パラメーターを用いて、異なる複数の観点の各々について内部空間の要素点を計算し、複数の観点について計算された要素点を用いて建物又は内部空間の価値を計算するステップと、計算された価値を出力するステップと、複数の観点の少なくとも一部に対する重みを決定するステップと、実行させ、価値を計算するステップは、複数の要素点及び決定するステップにより決定された重みを用いて価値を計算することを含む、プログラムを提供する。
本発明は、建物の外部空間を撮影する第１カメラにより撮影された第１画像、及び当該建物の内部空間を撮影する第２カメラにより撮影された第２画像を取得する取得手段と、前記第１画像に含まれる人及び前記第２画像に含まれる人に関するパラメーターを計算する第１計算手段と、前記パラメーターを用いて、前記建物又は前記内部空間の価値を計算する第２計算手段と、前記第２計算手段により計算された前記価値を出力する出力手段とを有する空間価値出力システムを提供する。
【国際調査報告】
2019155554.tif 000013
2019155554.tif 000014
2019155554.tif 000015
2019155554.tif 000016